(57)【要約】      （修正有）【課題】記録用ディスクを含む光ディスクをバルク容器に収納したまま保存でき、且つ、変形による経年劣化を防止することのできる保存容器を提供する。【解決手段】複数枚の光ディスク５を軸部２ｂに挿着して収納するバルク容器２を収容する筐体３と、前記筐体３内に設けられ、前記軸部２ｂの水平を調整及び保持するための水平保持部材６，７とを有する。【選択図】図２
2012025447.tif 000002
【特許請求の範囲】
【請求項１】
複数枚の光ディスクを軸部に挿着して収納するバルク容器を収容する筐体と、
前記筐体内に設けられ、前記軸部の水平を調整及び保持するための水平保持部材とを有することを特徴とする光ディスク保存容器。
【請求項２】
前記水平保持部材は移動可能なスペーサーからなることを特徴とする請求項１に記載の光ディスク保存容器。
【請求項３】
前記筐体には前記バルク容器の前記軸部の水平を調整するための水平確認用目盛が形成されていることを特徴とする請求項１又は２に記載の光ディスク保存容器。
【請求項４】
前記筐体には連結用インロー部及び積層用インロー部が形成されていることを特徴とする請求項１、２又は３に記載の光ディスク保存容器。
【請求項５】
前記連結用インロー部にはラッチが形成されていることを特徴とする請求項４に記載の光ディスク保存容器。
【発明の詳細な説明】
【技術分野】
【０００１】
本発明は、光ディスク保存容器に関し、より詳細には、電子記録用光ディスクの経年変形による劣化を防ぐことが可能な光ディスク保存容器に関する。
【背景技術】
【０００２】
近年、パソコン及びデジタル機器の普及に伴い、ＣＤ（Ｃｏｍｐａｃｔ  Ｄｉｓｋ）、ＤＶＤ（Ｄｅｇｉｔａｌ  Ｖｅｒｓａｔｉｌｅ  Ｄｉｓｋ）及びＢＤ（Ｂｌｕ−ｒａｙ  Ｄｉｓｋ）等の光ディスクが急速に普及してきている。又、デジタルカメラ、デジタルビデオカメラ及びデジタルレコーダー等の普及に伴い、静止画及び動画等のデジタルメディアが一般化しており、更にパソコンの普及及び高性能化に伴って取り扱われる電子データもまた大容量化している。これら電子データ等の保存ややり取りを行うため、当該光ディスクの記録用ディスクである、ＣＤ−Ｒ、ＤＶＤ−Ｒ、ＤＶＤ＋Ｒ及びＢＤ−Ｒ等もまた、急速に普及してきている。
【０００３】
従来、これら記録用ディスクは１枚ごとにプラスティック製のケースに収納され販売さていたが、その普及に伴い、記録用ディスクを安価に提供することが求められている。このため、バルク容器を用いて一度に多くの枚数のディスクを販売することにより、コストを抑え、安価に提供する販売方法が取られてきている。
【発明の概要】
【発明が解決しようとする課題】
【０００４】
これら記録用ディスクを含む光ディスクは経年劣化による変形を防止する観点等から垂直に立てられた状態で保管されることが理想である。従来、これら記録用ディスクを含む光ディスクは１枚ごとにプラスティック製のケースに収納されているため垂直に立てられた状態で保管されることが通例であった。
【０００５】
しかしながら、記録用ディスクはバルク容器での販売の普及に伴い、バルク容器で保管されるケースが増えてきている。バルク容器では記録用ディスクは水平に重ねられた状態で保管されることとなる。そのため、記録用ディスクはその自重で変形し読み取り不良を起こし、経年劣化が進行しやすくなるという問題が生じている。又、バルク容器に収納された記録用ディスクを垂直に立てられた状態で保管しようとすると、一般的にバルク容器は円錐台形のため困難であり、且つ、これらバルク容器を積み重ねて保管することが不可能である。
【０００６】
特に、事業所等において電子化された管理文書を記録用ディスクで保管する際には１０年乃至３０年程度の長期保管が要求される（例えば、日本工業規格ＪＩＳＺ６０１７参照）。そのため、記録用ディスクの経年劣化による変形の影響はより深刻である。
【０００７】
これら記録用ディスクはそれ自身が円盤形状であるためそれ自身を立てて保存することができず、又、紫外線及び湿気等の影響を受け易いため、必然的に何かしらのケース内で保存されることとなる。従って、記録用ディスクをバルク容器から出して他のケースに移して垂直に立てた状態で保管すれば良いが、バルク容器での保管と比較して、当該ケースにより容積が嵩むため、必然として保管場所としての空間の負担が増加する。
【０００８】
そこで、本発明は、これら記録用ディスクを含む光ディスクをバルク容器に収納したまま保存でき、且つ、変形による経年劣化を防止することのできる保存容器を提供することを目的とする。
【課題を解決するための手段】
【０００９】
本発明は、複数枚の光ディスクを軸部に挿着して収納するバルク容器を収容する筐体と、前記筐体内に設けられ、前記軸部の水平を調整及び保持するための水平保持部材とを有することを特徴とする光ディスク保存容器である。
【００１０】
又、本発明は、前記水平保持部材は移動可能なスペーサーからなることを特徴とする光ディスク保存容器である。
【００１１】
又、本発明は、前記筐体には前記バルク容器の前記軸部の水平を調整するための水平確認用目盛が形成されていることを特徴とするディスク保存容器である。
【００１２】
又、本発明は、前記筐体には連結用インロー部及び積層用インロー部が形成されていることを特徴とする光ディスク保存容器である。
【００１３】
又、本発明は、前記連結用インロー部にはラッチが形成されていることを特徴とする光ディスク保存容器である。
【発明の効果】
【００１４】
本発明の光ディスク保存容器は、光ディスクが収納されるバルク容器を収容する筐体を有し、その水平を調整及び保持するための水平保持部材を有することにより、当該光ディスクを当該バルク容器に収納したまま垂直状に立てて保存ができるため、保管場所としての空間を節約でき、且つ、変形による経年劣化を防止することができる。
【００１５】
この水平保持部材は、例えば、移動可能なスペーサーを用いることができる。移動可能なスペーサー用いることで様々な形状のバルク容器に対応することが可能となる。
【００１６】
又、前記筐体には、水平確認用目盛が形成されていることにより容易に前記バルク容器の前記軸部の水平度を確認することができる。
【００１７】
更に、前記筐体には連結用インロー部及び積層用インロー部が形成されていることにより、複数の当該筐体を二次元的、又は、三次元的に組み合わせることができるため、より保管場所としての空間を節約できる。尚、連結用インロー部にラッチを形成することもできる。
【図面の簡単な説明】
【００１８】
【図１】本発明における実施の形態の正面図である。
【図２】本発明における実施の形態の側面図である。
【図３】本発明における実施の形態の平面図である。
【図４】本発明における実施の形態におけるスペーサーの拡大図であり、（Ａ−１）は第１のスペーサーの平面図を、（Ａ−２）は第１のスペーサーの側面図を、（Ｂ−１）は第２のスペーサーの平面図を、（Ｂ−２）は第２のスペーサーの側面図を、各々表す図である。
【発明を実施するための形態】
【００１９】
本発明における実施の形態を図１乃至４に示す。尚、本発明において、図１に基づき筐体３の左右方向、上下方向及び前後方向を定義する。光ディスク保存容器１は、バルク容器２を収納するための筐体３を有する。筐体３は、平面視方形状に形成され、その前後方向で対向する２枚の側壁３Ａ、その左右方向で対向する２枚の側壁３Ｂ及びその底面を閉鎖する底板３Ｃにより構成される。又、筐体３の上面はバルク容器２を収容するために開放されている。
【００２０】
バルク容器２は一般的に頂壁２ａ側に向って次第に細くなる略円錐台形の透明な蓋部２Ａと、蓋部２Ａが被着される底部２Ｂとを備えている。底部２Ｂの中心には光ディスク５の中心に空けられた貫通穴に通される軸部２ｂが垂設されている。バルク容器２はその軸部２ｂが水平となるように略９０°傾けられた状態で、その軸部２ｂが筐体３の前後方向に向くように、且つ、その底部２Ｂが第２のスペーサー７側に来るように筐体３に収容される。尚、第２のスペーサー７の詳細については後述する。
【００２１】
筐体３の対向する２枚の側壁３Ａ，３Ａにはバルク容器２の取り出しを容易とするための切欠４が形成されている。本実施の形態において切欠４はＵ字状に形成され、両側壁３Ａ，３Ａの上辺の中点より該側壁３Ａ，３Ａの略中心まで伸びている。尚、切欠４は筐体３の側壁３Ｂに形成することもできる。
【００２２】
筐体３には、バルク容器２の傾きを調整及び保持し、その軸部２ｂを水平に保持するための水平保持部材が設けられる。当該水平保持部材は、各メーカーで異なる傾斜を有するバルク容器２の蓋部２Ａに対応することができるものである必要がある。例えば、当該水平保持部材として、蓋部２Ａの傾斜に合わせて調整可能なスペーサーや低反撥素材で構成されたクッション等を用いることができる。
【００２３】
本実施の形態において、当該水平保持部材は２つのスペーサー６，７であり、該スペーサー６，７は筐体３の底板３Ｃに置かれている。又、図４に示すように２つのスペーサー６，７は共にＶ字状の部材であり、各々その２辺の長さが等しく、且つ、全体に亘って略均一の厚さに形成される。又、第１のスペーサー６の厚さＴ１及び第２のスペーサー７の厚さＴ２は略等しく、そして、第１のスペーサー６の幅Ｗ１及び第２のスペーサー７の幅Ｗ２も等しくなるよう形成されている。即ち、Ｌ１≒Ｌ２、Ｌ３≒Ｌ４、Ｔ１≒Ｔ２、Ｗ１≒Ｗ２ある。尚、２つのスペーサー６，７の大きさ、形状等は適宜変更することができる。
【００２４】
又、第１のスペーサー６及び第２のスペーサー７は、バルク容器２が筐体３に収納された際に、バルク容器２の軸部２ｂの真下に来るように、且つ、２つのスペーサー６，７が筐体３の前後方向に並ぶように設けられる。
【００２５】
第１のスペーサー６は可動式となっており、バルク容器２の軸部２ｂが略水平となるように蓋部２ａの傾斜に合わせ調整されるものである。又、筐体３には、該筐体３の外部よりバルク容器２の軸部２ｂの水平度を確認するために、水平確認用目盛９が設けられている。当該目盛９は、筐体３の側壁３Ａの略中心、即ち、正しい水平度の際に、対向する２枚の側壁３Ａに形成された切欠４からバルク容器２の軸部２ｂの頂部が確認される箇所に、例えば、Ｕ字の切欠４の底部側に設けられている。
【００２６】
通常、バルク容器の蓋部２Ａは透明であるため、頂部２ａ側から軸部２ｂを外部より視認でき、底部２Ｂ側からは底部２Ｂ及び軸部２ｂの嵌合部（図示せず）もまた視認できるため、前記２枚の側壁３Ａの両側から水平確認用目盛９で軸部２ｂの位置を確認することにより、軸部２ｂの水平を容易に調整できるようになっている。
【００２７】
つまり、軸部２ｂが通された光ディスク５は、水平保持部材たる２つのスペーサー６，７によって垂直状に立てられ保持されることとなる。尚、第２のスペーサー７を可動式とすることもできる。
【００２８】
第１のスペーサー６の可動手段としては、例えば、筐体３の底板３Ｃ等に第１のスペーサー６と連動する摺動機構を設け、筐体３の前後方向に可動とする方法、第１のスペーサー６と連動する高さ調整部材を設け上下方向に可動とする方法、又は、第１のスペーサー６を可撓性とし、その頂角を変えることにより、筐体３の上下方向に可動とする方法等がある。
【００２９】
又、筐体３には、複数の筐体３を前後左右に連結し、上下に積層するための機構が設けられる。本実施の形態において、各側壁３Ａ，３Ｂには、その左端及び右端から連結用インロー部３ａが、その上端から連結用インロー部３ｂが、下端からは積層用インロー部３ｃが、夫々延在している。
【００３０】
連結用インロー部３ａ，３ｂには各々２箇所にラッチ８ａ，８ｂが形成される。従って、連結用インロー部３ａに形成されたラッチ８ａ同士、連結用インロー部３ｂに形成されたラッチ８ｂ同士を互いに組み合わせることにより、複数の筐体３をその左右方向及び前後方向に連結することができる。尚、ラッチ８ａ，８ｂの数、場所等は適宜変更することができる。
【００３１】
又、積層用インロー部３ｃは、複数の筐体３を上下方向に積み重ねられた際に、筐体３の側壁３Ａ，３Ｂの内側に嵌合することができるようになっており、複数の筐体３をその上下方向に安定して積み重ねることができるようにするものである。
【００３２】
即ち、本実施の形態における光ディスク保存容器１は連結用インロー部３ａ,３ｂに形成されたラッチ８ａ，８ｂ並びに積層用インロー部３ｃにより二次元的又は三次元的に組み上げることが可能である。
【００３３】
尚、光ディスク保存容器１を二次元的又は三次元的に組み上げる方法は、本実施の形態に限定されるものでなく、例えば、インロー部３ａ，３ｂ，３ｃ又は側壁３Ａ，３Ｂの端部夫々に等に窪みを形成し、その窪みに連結部材を嵌め込むことにより組み上げてもよい。
【００３４】
上述のように、本実施の形態は、バルク容器２の軸部２ａを水平保持部材であるスペーサー６，７により水平に調整及び保持することにより、バルク容器２の軸部２ｂに通された光ディスクをバルク容器２に収納したまま垂直状に立てられた状態で保存することが可能であり、変形による経年劣化を防止することができる。
【００３５】
又、筐体３に連結用インロー部３ａ,３ｂ及び積層用インロー部３ｃを形成することにより、光ディスク保存容器１を二次元的、又は、三次元的に組み上げることが可能である。従って、光ディスク５の保管場所としての空間を節約できる。
【００３６】
尚、本実施の形態は、ＣＤ−Ｒ、ＣＤ−ＲＷ、ＤＶＤ−ＲＡＭ、ＤＶＤ−Ｒ、ＤＶＤ−ＲＷ、ＤＶＤ＋Ｒ、ＤＶＤ＋ＲＷ、ＢＤ−Ｒ及びＢＤ−ＲＷ等の様々な記録用光ディスクの保管に適用することが可能である。又、ＣＤ−ＲＯＭ、ＤＶＤ−ＲＯＭ、ＢＤ−ＲＯＭ及びＨＤ  ＤＶＤ−ＲＯＭ等の読み取り専用の光ディスクの保管にも当然に適用可能である。
【００３７】
又、収容された記録用光ディスク５の枚数に応じて、異なる大きさ（高さ）のバルク容器２で記録用光ディスク５は市販されているため、筐体３の側壁３Ｂの幅を蛇腹又はスライド等の機構により可変とし、バルク容器２の大きさに応じて筐体３の大きさを変化できるようにしてもよい。
【００３８】
更に、最上部となる筐体３の上部はその外部に対して開放されているが、当該筐体３内を遮光等するために蓋体を被せることもできる。
【符号の説明】
【００３９】
１          光ディスク保存容器        ２          バルク容器      
２Ａ        蓋部                      ２Ｂ        底部
２ａ        頂壁                      ２ｂ        軸部
３          筐体                      ３Ａ，３Ｂ  側壁            
３Ｃ        底板                      ３ａ，３ｂ  連結用インロー部
３ｃ        積層用インロー部          ４          切欠                      
５          光ディスク                ６          第１のスペーサー          
７          第２のスペーサー          ８ａ，８ｂ  ラッチ                    
９          水平確認用目盛            
【図１】
2012025447.tif 000003
【図２】
2012025447.tif 000004
【図３】
2012025447.tif 000005
【図４】
2012025447.tif 000006